(57)【要約】【課題】使用者が所望する情報を確実に一つの画面に表示できるデータ表示装置を得ること。【解決手段】太陽光発電システムにおける発電、負荷での電力消費及び系統電源との間の電力収支に関連した複数の項目をふくむ情報を保持する情報保持部４と、複数の項目の項目名を使用者が選択可能な状態で一覧表示する情報選択設定画面を表示させる選択情報設定部６と、情報保持部４に保持された情報のうち、予め定められた項目を各々一画面に表示する複数の第１の表示画面、及び、選択設定画面において使用者に項目名が選択された項目を一画面に表示する第２の表示画面の表示制御を行う表示制御部８とを備え、表示制御部８は、常態においては第１の表示画面のいずれかの表示制御を行い、予め定められた条件を満たす場合に第２の表示画面の表示制御を行う。【選択図】図２
2012037930.tif 000002
【特許請求の範囲】
【請求項１】
太陽光発電システムにおける発電、負荷での電力消費及び系統電源との間の電力収支に関連した複数の項目を含む情報を保持する情報保持手段と、
前記複数の項目の項目名を使用者が選択可能な状態で一覧表示する情報選択設定画面を表示させる手段と、
前記情報保持手段に保持された情報のうち、予め定められた項目を各々一画面に表示する複数の第１の表示画面、及び、前記選択設定画面において使用者に項目名が選択された項目を一画面に表示する第２の表示画面の表示制御を行う表示制御手段とを備え、
前記表示制御手段は、常態においては前記第１の表示画面のいずれかの表示制御を行い、予め定められた条件を満たす場合に前記第２の表示画面の表示制御を行うことを特徴とするデータ表示装置。
【請求項２】
前記第１の表示画面として、前記発電、前記電力消費及び前記電力収支の現在値を示す現在値表示画面と、前記発電、前記電力消費及び前記電力収支の累計値を示す累計値表示画面とを含み、前記表示制御手段は、前記第１の表示画面の表示制御中は、使用者の操作に応じて前記現在値表示画面と前記累計値表示画面とを切り替えるように表示制御を行うことを特徴とする請求項１記載のデータ表示装置。
【請求項３】
前記表示制御手段は、装置の起動時に前記第２の表示画面の表示制御を行うことを特徴とする請求項１又は２記載のデータ表示装置。
【請求項４】
前記表示制御手段は、使用者の操作に応じて前記第２の表示画面の表示制御を行うことを特徴とする請求項１から３のいずれか１項記載のデータ表示装置。
【請求項５】
前記複数の項目の各々は、予め定められた他の項目と関連付けられてグループとして分けられており、前記情報設定画面には、前記グループを単位として複数の項目名を選択するためのボタンが表示されることを特徴とする請求項１から４のいずれか１項記載のデータ表示装置。
【請求項６】
前記発電、前記電力消費、及び前記電力収支の各々に関して、現在値と累計値とがそれぞれ同じグループに分けられたことを特徴とする請求項５記載のデータ表示装置。
【発明の詳細な説明】
【技術分野】
【０００１】
本発明は、太陽光発電システムに用いられるパワーコンディショナなどから電力に関連する情報を取得・演算して、演算結果を選択的に表示するデータ表示装置に関する。
【背景技術】
【０００２】
太陽光発電システムには、太陽電池モジュールが太陽光を受けることによって発電した直流電力を交流電力に変換して出力するパワーコンディショナが用いられており、太陽光発電システムに適用される従来のデータ表示装置は、パワーコンディショナなどから電力に関連する情報を取得する。データ表示装置は、取得した情報を基に演算を実行し、演算結果として得られた情報の複数の項目を予め装置の仕様で設定された組み合わせで一覧表示する。データ表示装置は複数の一覧表示画面を保持しており、使用者は一覧表示画面から所望の情報を得ることができる。
【０００３】
一方で、使用者の所望する項目が装置の仕様で指定された複数の一覧表示画面に分散して含まれている場合には、使用者は複数の一覧表示画面を切り替え表示することによって、所望の項目を参照する必要があるため、操作が煩雑で検索性、閲覧性に問題があった。
【０００４】
例えば、一覧表示画面Ａは「発電電力量／消費電力量／電力量収支」、一覧表示画面Ｂは「現在の発電電力／現在の消費電力／現在の売買電力」が、一覧表示内容として装置に予め設定されているとする。使用者が「発電電力量」、「現在の消費電力」及び「電力量収支」の項目の表示を所望する場合には、一覧表示画面Ａで発電電力量と電力量収支とを確認した後、一覧表示画面Ｂに切り替えて現在の消費電力を確認しなければならず、操作が煩雑であるため検索性、閲覧性が低くなる。
【０００５】
特許文献１には、サムネイル画像と関連づけて制御情報を記録することにより、使用者が与えた検索条件によってサムネイルを取捨選択したり、優先順位を付けて一覧表示する技術が開示されている。
【先行技術文献】
【特許文献】
【０００６】
【特許文献１】特開２００１−２４５２５５号公報
【発明の概要】
【発明が解決しようとする課題】
【０００７】
しかしながら、上記特許文献１に開示の発明は、制御情報が全く異なるサムネイルを同一の画面に表示することは難しい。また、ある時点においてサムネイルが同一の画面に表示されていたとしても、新たに画像が追加されることにより同一の画面に表示されなくなってしまうことがある。
【０００８】
このように、上記特許文献１を太陽光発電システムのデータ表示装置に適用したとしても、複数の項目を含む情報のうちの使用者が所望する項目を同一の画面に確実に表示させることはできなかった。
【０００９】
本発明は、上記に鑑みてなされたものであって、複数の項目を含む情報のうちの使用者が所望する項目を確実に一つの画面に表示できるデータ表示装置を得ることを目的とする。
【課題を解決するための手段】
【００１０】
上述した課題を解決し、目的を達成するために、本発明は、太陽光発電システムにおける発電、負荷での電力消費及び系統電源との間の電力収支に関連した複数の項目を含む情報を保持する情報保持手段と、複数の項目の項目名を使用者が選択可能な状態で一覧表示する情報選択設定画面を表示させる手段と、情報保持手段に保持された情報のうち、予め定められた項目を各々一画面に表示する複数の第１の表示画面、及び、選択設定画面において使用者に項目名が選択された項目を一画面に表示する第２の表示画面の表示制御を行う表示制御手段とを備え、表示制御手段は、常態においては第１の表示画面のいずれかの表示制御を行い、予め定められた条件を満たす場合に第２の表示画面の表示制御を行うことを特徴とする。
【発明の効果】
【００１１】
本発明によれば、複数の項目を含む情報のうちの使用者が所望する項目が確実に一つの画面に表示されるため、切り替え作業が不要となり、情報の検索性や閲覧性が向上するという効果を奏する。
【図面の簡単な説明】
【００１２】
【図１】図１は、本発明の実施の形態に係るデータ表示装置を用いた太陽光発電システムの構成を示す図である。
【図２】図２は、本発明に係るデータ表示装置の実施の形態の装置構成を示す図である。
【図３】図３は、情報選択設定画面の一例を示す図である。
【図４】図４は、情報選択設定画面と表示画面との関係を示す図である。
【図５】図５は、従来のデータ表示装置の表示画面例を示す図である。
【発明を実施するための形態】
【００１３】
以下に、本発明にかかるデータ表示装置の実施の形態を図面に基づいて詳細に説明する。なお、この実施の形態によりこの発明が限定されるものではない。
【００１４】
実施の形態．
図１は、本発明の実施の形態に係るデータ表示装置を用いた太陽光発電システムの構成を示す図である。太陽光発電システムは、太陽電池モジュール５１、接続箱５２、パワーコンディショナ５３、分電盤５４、データ表示装置１、電流センサ５６、電圧センサ５７を有する。
【００１５】
太陽光発電システムは、系統電源５８に接続されており、余剰電力を電力会社へ売却できるようになっている。すなわち、太陽電池モジュール５１での発電量が負荷５９で消費される電力を上回る場合には余剰電力が発生するため、それを系統電源５８に送ることで電力会社へ電力を売却する。また、夜間や雨天時などは太陽電池モジュール５１での発電量が負荷５９で消費される電力を下回るため、電力会社から電力を購入して不足分を補う。電流センサ５６及び電圧センサ５７は、分電盤５４内の系統電源５８との境界に設置される。
【００１６】
図２は、本実施の形態に係るデータ表示装置の構成を示す図である。本実施の形態に係るデータ表示装置１は、情報取得部２、情報演算部３、情報保持部４、固定情報取得部５、選択情報設定部６、選択情報取得部７、表示制御部８、表示部９及び入力部１０を有する。
【００１７】
情報取得部２は、パワーコンディショナ５３や電流センサ５６、電圧センサ５７などから電力に関する情報を取得する。
【００１８】
情報演算部３は、情報取得部２が取得した電力に関連する情報を基に、発電電力量、消費電力量などを演算によって算出する。情報演算部３は、電流センサ５６及び電圧センサ５７が検出した電流値と電圧値とに基づいて電力値（収支電力の絶対値）を算出する。また、電流位相及び電圧位相に基づいて電力の売却であるか購入であるかを判別する。すなわち、系統電源５８側から負荷５９側へ流れる方向であれば、収支電力はマイナスであると判断する。逆に、パワーコンディショナ５３から系統電源５８側へ流れる方向であれば、収支電力はプラスであると判断する。なお、発電量はパワーコンディショナ５３からの情報によって得られるため、負荷での消費電力は、「収支電力＝発電電力−消費電力」の関係式に基づいて求められる。
【００１９】
情報保持部４は、情報演算部３での演算によって算出された複数の項目を含む電力関連の情報を保持する。
【００２０】
固定情報取得部５は、情報保持部４に保持された複数の項目を含む情報の中から、装置の仕様として指定されている項目を取得する。
【００２１】
選択情報設定部６は、使用者が表示を所望する項目を選択・設定する。具体的には、後述する情報選択設定画面を表示部９に表示させ、情報選択設定画面における設定内容を選択情報取得部７に通知する。
【００２２】
選択情報取得部７は、情報保持部４に保持された複数の項目を含む情報から、選択情報設定部６で選択された項目を取得する。
【００２３】
表示制御部８は、固定情報取得部５が情報保持部４から取得した項目を表示する表示画面（第１の表示画面）、及び選択情報取得部７が情報保持部４から取得した項目を表示する表示画面（第２の表示画面）の表示制御を行う。表示制御部８の出力は、表示部９へ入力される。また、表示制御部８は、他の映像表示装置へも表示信号を出力する。
【００２４】
表示部９は、表示制御部８の出力に基づいて情報を表示する。また、選択情報設定部６の出力に基づいて、情報選択設定画面を表示する。
【００２５】
入力部１０は、使用者が入力操作を行うためのユーザインタフェースであり、例えば表示部９上に設置されたタッチパネルや、ボタンや方向キーを備えたコントローラやリモコンである。
【００２６】
データ表示装置１の動作について説明する。
【００２７】
まず、設定動作について説明する。使用者が入力部１０を介して行った所定の操作に応じて、選択情報設定部６は表示部９に情報選択設定画面を表示させる。図３は、選択情報設定部６が表示部９に表示させる情報選択設定画面の一例を示す図である。情報選択設定画面Ｓ１には、情報保持部４に保持される情報の項目名が一覧表示される。また、情報選択設定画面Ｓ１には、情報保持部４に保持される情報の各項目が属するグループ（発電、電力消費、収支（電力収支）など）も表示される。
【００２８】
情報選択設定画面Ｓ１において、個々の項目にはＡ−１〜Ｃまでの番号が付されているが、これは、仕様によって指定された表示画面として、Ａ−１〜Ａ−３の項目を表示する画面（画面Ａ）と、Ｂ−１〜Ｂ−３の項目を表示する画面（画面Ｂ）と、Ｃの項目を表示する画面（画面Ｃ）との三つの画面があることを表している。なお、画面Ａは累計値（電力量）を表示する画面であり、画面Ｂは現在値（電力）を表示する画面であり、画面Ｃはパワーコンディショナ５３の状態を表示する画面である。また、Ａ−１及びＢ−１の枝番号「１」は、発電のグループに属する項目であることを表している。同様に、枝番号「２」は電力消費のグループに属する項目であることを表しており、枝番号「３」は収支のグループに属する項目であることを表している。すなわち、情報選択設定画面に表示された個々の項目は、予め定められた他の項目と関連付けられてグループとして分けられている。具体的には、Ａ−１の項目及びＢ−１の項目は、「発電」に関連する項目として関連付けられて発電のグループに分けられている。同様に、Ａ−２の項目及びＢ−２の項目は、「電力消費」に関連する項目として関連付けられて電力消費のグループに分けられている。同様に、Ａ−３の項目及びＢ−３の項目は、「収支」に関連する項目として関連付けられて収支のグループに分けられている。
【００２９】
使用者は情報選択設定画面Ｓ１を参照しつつ入力部１０を用いて、表示を所望する項目名を選択する。例えば、「Ａ−１：発電電力量」、「Ｂ−１：現在の発電電力」、「Ａ−３：電力量収支」を選択した場合、選択表示欄Ｓ１２には使用者が項目名を選択した項目に対応する番号が表示される。また、「Ｄ−１：発電」などのグループが選択された場合も、選択されたグループの番号が選択表示欄Ｓ１２に表示される。なお、グループの番号ではなく、属する項目に対応する番号を選択表示欄Ｓ１２に表示させても良い。表示を所望する項目に対応する番号を選択表示欄Ｓ１２に表示させた後、設定終了ボタンＳ１３を押下することにより、設定動作を終了する。
【００３０】
次に、情報表示の動作について説明する。情報取得部２は、パワーコンディショナ５３から現在の発電量を取得するとともに、電力線に設置された電流センサ５６及び電圧センサ５７から現在の電流値及び電圧値を取得する。
【００３１】
情報演算部３は、情報取得部２から入力された電流値及び電圧値を基に現在の収支電力を算出する。さらに現在の発電電力と現在の収支電力とを基に、発電電力量、消費電力量、電力量収支などを演算し、演算結果を情報保持部４に保持させる。
【００３２】
固定情報取得部５は、情報保持部４に保持された複数の項目を含む情報の中から装置の仕様で予め指定された項目（製品仕様で決められた項目）を取得する。固定情報取得部５が取得する項目を使用者が変更することはできない。
【００３３】
選択情報取得部７は、情報保持部４に保持された複数の項目の情報の中から、選択情報設定部６で選択された項目を取得する。なお、グループが選択されている場合には、そのグループに属する項目を情報保持部４に保持された情報の中から取得する。例えば、上記の例では、「消費」のグループが選択されている場合には、枝番号２の全ての項目を取得する。
【００３４】
固定情報取得部５は、情報保持部４に保持された複数の項目を含む情報のうち、装置の仕様で予め設定された項目を取得するのに対し、選択情報取得部７は、情報保持部４に保持された複数の項目を含む情報のうち、選択情報設定部６で設定された項目を取得する点で相違する。
【００３５】
表示制御部８は、固定情報取得部５が情報保持部４から取得した項目を表示するための制御を行う。なお、固定情報取得部５が取得した項目を表示するための制御は常時行っても良いし、定期的に（例えば毎正時に）行っても良いし、入力部１０を介して行われた操作に応じて行っても良い。一方、表示制御部８は、装置の仕様で固定された条件（例えば電源投入時）を満たす場合や、入力部１０を介して所定の操作が行われた場合には、固定情報取得部５が情報表示部４から取得した項目ではなく、選択情報取得部７が情報表示部４から取得した項目を表示するための制御を行う。
【００３６】
表示制御部８の出力は、表示部９に入力される。表示部９は、表示制御部８からの入力に基づいて情報を表示する。また、表示制御部８は、外部の表示装置（テレビなど）に対しても表示信号を出力する。
【００３７】
図４は、データ表示装置１において、使用者が所望の情報を選択・設定する情報選択設定画面Ｓ１と、それに基づく情報表示画面Ｉ１との関連を示す図である。情報選択設定画面Ｓ１において「Ａ−１：発電電力量」、「Ｂ−１：現在の発電電力」、「Ａ−３：電力量収支」を選択した場合には、情報表示画面Ｉ１には、これらの値が一覧表示される。現在の発電電力と電力量収支とは、情報の種類が異なる（グループが異なる）が、本実施の形態に係るデータ表示装置は、これらの項目を同一画面に表示することが可能である。
【００３８】
図５は、従来のデータ表示装置における表示画面の一例を示す図である。発電電力量（ｋＷｈ）、消費電力量（ｋＷｈ）、電力量収支（ｋＷｈ）が一覧表示されるように装置の仕様で指定されている。また、現在の発電電力（ｋＷ）、現在の消費電力（ｋＷ）、現在の売買電力（ｋＷ）が一覧表示されるように装置の仕様で指定されている。従来のデータ表示装置は、一覧表示する項目を使用者が変更できないため、使用者が表示を所望する項目が一画面中に表示されない場合がある。例えば、電力量収支と現在の発電電力とは別々の一覧表示画面上に表示されるため、使用者がこれらの情報を参照したい場合には、画面切り替え操作が必要となる。このため、従来のデータ表示装置では情報の検索性、閲覧性が低下する。なお、本実施の形態に係るデータ表示装置において通常時に表示制御部８が表示部９に表示させる表示画面（第１の表示画面）は、従来のデータ表示装置における表示画面と同様である。
【００３９】
このように、本実施の形態に係るデータ表示装置は、異なる種類の項目であっても、使用者が所望すれば一つの画面に表示することができる。このため、使用者は複数の画面を切り替えることなく複数の項目を含む情報の所望の項目を閲覧できる。また、情報選択設定画面で設定された内容は、情報選択設定画面で新たに設定し直すまで変わらないため、ユーザが所望する項目を確実に一つの画面内に表示させることができる。
【産業上の利用可能性】
【００４０】
以上のように、本発明にかかるデータ表示装置は、複数の項目を含む情報の所望の項目を、仕様で設定された組み合わせとは異なる組み合わせで一覧表示できる点で有用であり、特に、太陽光発電システムにおける発電、電力消費及び収支に関する複数の項目を同時に表示するのに適している。
【符号の説明】
【００４１】
１  データ表示装置
２  情報取得部
３  情報演算部
４  情報保持部
５  固定情報取得部
６  選択情報設定部
７  選択情報取得部
８  表示制御部
９  表示部
１０  入力部
Ｓ１  情報選択設定画面
Ｓ１２  選択表示欄
Ｓ１３  設定終了ボタン
Ｉ１  情報表示画面
【図１】
2012037930.tif 000003
【図２】
2012037930.tif 000004
【図３】
2012037930.tif 000005
【図４】
2012037930.tif 000006
【図５】
2012037930.tif 000007